(57)【要約】      （修正有）【課題】家庭用水遊びプールにおいて、また入浴時の浴槽において、幼児が手軽に遊ぶことのできる水遊び用潜水玩具を提供する。【解決手段】内方に電池２４、外面にスイッチの操作部３６、スクリュウ２０および推進安定翼２１を配備する後半本体１ａと、その後半本体の前端開口を気密に閉鎖する、前端面が半球状に湾曲形成されている前半蓋体１ｂとに分割形成される水遊び潜水玩具。【選択図】図２
0003115164.tif 000002
【実用新案登録請求の範囲】
【請求項１】
内方に電池、外面にスイッチの操作部、スクリュウおよび推進安定翼を配備する後半本体と、その後半本体の前端開口を気密に閉鎖する前半蓋体とに分割形成される水遊び潜水玩具。
【請求項２】
前半蓋体の前端面が半球状に湾曲形成されてなる請求項１の水遊び潜水玩具。
【請求項３】
前記後半本体は、前端に外径より縮径されて一段とさがった接続筒が一体に形成され、外径面に防水リングが配備される後半本体外殻を有し、前記前半蓋体は、後端開口の内側に内径面を具える前半蓋体外殻を有し、前記後半本体外殻の接続筒の外径面に前記前半蓋体外殻の後端開口の内径面を圧入嵌合し、防水リングを押圧し、後半本体の接続筒に前端開口を水密にして接続してなる請求項１または請求項２の水遊び潜水玩具。
【請求項４】
前記後半本体の接続筒の基端寄り外径面に係合爪を突設し、前記前半蓋体の後端開口の内径面において凹陥導入部と横向き溝部からなる係合嵌入部を前記係合爪と対応して形成し、後半本体外殻の段差端面と前半蓋体外殻の後端開口を突合し、係合爪を凹陥導入部に嵌入した後、前半蓋体外殻を周回りに回動して係合爪を係合横向き係合溝に移動し、係合ロックしてなる請求項３の水遊び潜水玩具。
【請求項５】
前記後半本体外殻は、合成樹脂材を金型に射出して成型され、前記接続筒を一体とする楕円半殻に形成されると共に、後部上半の外面にスイッチ操作用凹陥部とスイッチ配備孔が、後端中心の外面にスクリュウ軸受け孔がそれぞれ形成され、内面側には、モータ収容部、前記スイッチ配備孔を中心に配するスイッチ載せ台と、その左右に一対のスイッチ取付台座と、同じく左右一対の電池ボックス主部取付台座および電池ボックス蓋部取付台が形成され、モータは、前記モータ収容部にセットし、モータ軸をスクリュウ軸受孔より後方へ突出し、その突出端にスクリュウを固着し、前記後半本体外殻において、その後端外面より後方へ左右対称の枠型の水平推進安定翼が突設されてなる請求項４の水遊び潜水玩具。
【請求項６】
電池ボックスは、合成樹脂材を金型に射出し、電池ボックス主部と、電池ボックス蓋部と、バランサーボックスとに分割成型し、電池ボックス主部は、電池の大部分を収容し、その対面する一方の電極と接触して出力極を構成する電極板を内端面に配備し、電池ボックス蓋部は、電池の反対電極と接触して電極を導通する導通電極板を内端面に具え、バランサーボックスは、前記電池ボックス主部の下面に接続し、内部の収容部に金属部材が収容されてなる請求項５の水遊び潜水玩具。
【請求項７】
スイッチ保持盤の嵌入支持部にスイッチ本体を後方より差込み、電極片を前方に突出させて保持した後、可動操作杆の先端側を被嵌させ、ゴム製の防水スイッチカバーを再被嵌し、防水スイッチカバーの鍔部をスイッチ載せ台に置き、スイッチ本体を嵌入支持したスイッチ保持盤を前方から可動操作杆を防水スイッチカバー内に差込んで防水スイッチカバーと共にスイッチ配備孔より後方へ突出させ、この状態でスイッチ保持盤における両端の取付孔にネジを挿通し、その先端を後半本体外殻のスイッチ取付台座の取付孔に螺合し、防水スイッチカバーの鍔部を締付けて水密に構成し、かつ、スイッチ保持盤を後半本体外殻に固着してなる請求項６の水遊び潜水玩具。
【請求項８】
電池ボックス主部は、その中間には、周囲に張り出す取付鍔が設けられ、その取付鍔に開口する取付孔の部分を前記後半本体外殻の電池ボックス取付台座に連接した後、ネジを取付孔に挿通し、そのネジの先端をそれぞれ電池ボックス取付台座に開口する取付孔に螺合し、電池ボックス主部は電池ボックス取付台座に固着されてなる請求項７の水遊び潜水玩具。
【考案の詳細な説明】
【技術分野】
【０００１】
本考案は、家庭用水遊びプールにおいて、また入浴時の浴槽において、幼児が手軽に遊ぶことのできる水遊び用潜水玩具に関するものである。
【背景技術】
【０００２】
家庭用水遊びプールまたは浴槽において、幼児が使用する各種幼児用水遊び玩具、すなわち、無動力の浮遊船体玩具、糸引きゼンマイを原動力とする推進船玩具、羽根をばたばたさせる等のアクション玩具およびその他の玩具が提供されている。
【０００３】
従来、動力付きの潜水艦玩具は、船体の内部に密閉室を設け、この密閉室内に推進用モータと潜水用モータとを設け、それら推進用モータと潜水用モータを船体外に配備した推進用プロペラと潜水用プロペラとに磁石を介して駆動し、また、推進用プロペラについては、旋回自在に軸支する支枠に配備し、支枠を、密閉室に設けた操作装置と磁石により連繋して作動する操作杆に連結し、推進用プロペラと潜水用プロペラと支枠を密閉室から制御操作して潜水、推進、推進方向変換を本格的に行う潜水玩具が特許文献１に掲載されている。
また、本体の後方にモータによって回転するスクリュウを有し、モータの回転を、赤外線や電波により制御し、本体が浮力に逆らって潜行する潜水玩具が特許文献２に掲載されている。
さらに、電動モータの回転力でポンプを作動させ、周囲の水を吸引して所望方向へ噴出させることにより推進する潜水玩具が特許文献３に掲載されている。
【特許文献１】特公昭６１−３４８３６号公報
【特許文献２】特開平１１−９００４９号公報
【特許文献３】特開２００５−１１１１６６号公報
【考案の開示】
【考案が解決しようとする課題】
【０００４】
前記特許文献１の潜水玩具は、船体の内部に密閉室を設けるので、構造が複雑となりコスト高となるものである。また、潜水用、推進用の２個のモータを配備し、それらを制御することは制御装置を複雑にし、この点からもコスト高を免れないものであった。
前記特許文献２の潜水玩具は、本体の後方にモータによって回転するスクリュウを配備するだけであるから構造が簡単でコストの低減に効果がある。しかし、赤外線や電波により制御すると、その制御装置がコスト高になるばかりでなく、その操作技術を必要とし、幼児の水遊び玩具に適さないものであった。
前記特許文献３は、同じく、リモコン操作潜水玩具で、電動モータの回転力でポンプを作動させ、かつ、その電動モータを正転と逆転に回転させることにより、従来、船体の直進と旋回を行うのに二個の電動モータを必要としたのを、一個の電動モータで行えるように省力化したものである。しかし、実施例では、電動モータが二個、三個の実施例が提案されており、リモコン操作では、操縦性能の向上が究極の目的であり、構造の複雑化と操作技術の高度化は避けられないものである。 
【０００５】
本考案は、前記リモコン操作の潜水玩具ではなく、家庭の水遊びプールまたは浴槽内で、幼児が親兄弟と一緒に遊ぶのに最適な潜水玩具を提供しょうとするものである。
【課題を解決するための手段】
【０００６】
内方に電池、外面にスイッチの操作部、スクリュウおよび推進安定翼を配備する後半本体と、その後半本体の前端開口を気密に閉鎖する前半蓋体とに分割形成される水遊び潜水玩具にある。
【０００７】
前半蓋体の前端面が半球状に湾曲形成されてもよいものである。
【０００８】
前記後半本体は、前端に外径より縮径されて一段とさがった接続筒が一体に形成され、外径面に防水リングが配備される後半本体外殻を有し、前記前半蓋体は、後端開口の内側に内径面を具える前半蓋体外殻を有し、前記後半本体外殻の接続筒の外径面に前記前半蓋体外殻の後端開口の内径面を圧入嵌合し、防水リングを押圧し、後半本体の接続筒に前端開口を水密にして接続してもよいものである。
【０００９】
前記後半本体の接続筒の基端寄り外径面に係合爪を突設し、前記前半蓋体の後端開口の内径面において凹陥導入部と横向き溝部からなる係合嵌入部を前記係合爪と対応して形成し、後半本体外殻の段差端面と前半蓋体外殻の後端開口を突合し、係合爪を凹陥導入部に嵌入した後、前半蓋体外殻を周回りに回動して係合爪を係合横向き係合溝に移動し、係合ロックしてもよいものである。
【００１０】
前記後半本体外殻は、合成樹脂材を金型に射出して成型され、前記接続筒を一体とする楕円半殻に形成されると共に、後部上半の外面にスイッチ操作用凹陥部とスイッチ配備孔が、後端中心の外面にスクリュウ軸受け孔がそれぞれ形成され、内面側には、モータ収容部、前記スイッチ配備孔を中心に配するスイッチ載せ台と、その左右に一対のスイッチ取付台座と、同じく左右一対の電池ボックス主部取付台座および電池ボックス蓋部取付台が形成され、モータは、前記モータ収容部にセットし、モータ軸をスクリュウ軸受孔より後方へ突出し、その突出端にスクリュウを固着し、前記後半本体外殻において、その後端外面より後方へ左右対称の枠型の水平推進安定翼が突設されてもよいものである。
【００１１】
電池ボックスは、合成樹脂材を金型に射出し、電池ボックス主部と、電池ボックス蓋部と、バランサーボックスとに分割成型し、電池ボックス主部は、電池の大部分を収容し、その対面する一方の電極と接触して出力極を構成する電極板を内端面に配備し、電池ボックス蓋部は、電池の反対電極と接触して電極を導通する導通電極板を内端面に具え、バランサーボックスは、前記電池ボックス主部の下面に接続し、内部の収容部に金属部材が収容されてもよいものである。
【００１２】
スイッチ保持盤の嵌入支持部にスイッチ本体を後方より差込み、電極片を前方に突出させて保持した後、可動操作杆の先端側を被嵌させ、ゴム製の防水スイッチカバーを再被嵌し、防水スイッチカバーの鍔部をスイッチ載せ台に置き、スイッチ本体を嵌入支持したスイッチ保持盤を前方から可動操作杆を防水スイッチカバー内に差込んで防水スイッチカバーと共にスイッチ配備孔より後方へ突出させ、この状態でスイッチ保持盤における両端の取付孔にネジを挿通し、その先端を後半本体外殻のスイッチ取付台座の取付孔に螺合し、防水スイッチカバーの鍔部を締付けて水密に構成し、かつ、スイッチ保持盤を後半本体外殻に固着してもよいものである。
【００１３】
電池ボックス主部は、その中間には、周囲に張り出す取付鍔が設けられ、その取付鍔に開口する取付孔の部分を前記後半本体外殻の電池ボックス取付台座に連接した後、ネジを取付孔に挿通し、そのネジの先端をそれぞれ電池ボックス取付台座に開口する取付孔に螺合し、電池ボックス主部は電池ボックス取付台座に固着されてもよいものである。
【考案の効果】
【００１４】
本考案の水遊び潜水玩具は、水に浮かべた時には、全体の２／３を水中に沈め、スクリュウを水中に没し、前後に水平状態で、かつ、右側を下方に若干傾けた状態を維持するものである。そこで、前記モータが作動すると、スクリュウの推進力と、推進安定翼の作用で直前進する。前端を下方に向けて発進させると、斜めに推進沈降する。そして底面に衝突すると、前端が球形面になっているから、スムーズに方向変換がなされる。水面上を推進して浴槽の内壁面に衝突する場合も同様にスムーズに方向変換がなされる。特に、浴槽の内壁面と直角に衝突をしても、反動で戻り、再び衝突するときには、内壁面とに角度ができるので、スムーズな方向変換を図ることができ、上下左右に方向を変換して推進できるものである。
【００１５】
浴槽で遊ぶ時には、浴槽に深さがあるので、下方に向けて発進させれば、底面に達し、当たり角度で反転方向がきまるので、意外性と、指向性があり、幼児と離れて浮上し、或は間近に浮上するなど、趣向に富む遊びが行えるのである。
【００１６】
防水スイッチカバーは、後半本体の凹陥部内に配備されるから、家庭用水遊びプール、浴槽の底面、内側面と当ることがなく、作動が中断されることがない。
【００１７】
推進安定翼は水流を制御して安定した推進方向を確保するばかりでなく、スクリュウを囲んで浴槽の底面、内側面と当ることを防止するものである。
【００１８】
内部をスイッチ、スクリュウ、電池を配備する後半本体部と、その前端開口部を嵌合と係合により閉鎖する前半蓋体とにより構成するものであるから、互いの嵌合連接面に弾性リングを介在し、水密を図ることができ、かつ係合爪と凹陥横向き係合溝とにより係着するので、衝突などの激しい衝撃でも緩むことがなく長時間遊ぶことができるものである。
【考案を実施するための最良の形態】
【００１９】
内方に電池、外面にスイッチの操作部、スクリュウおよび推進安定翼を配備する後半本体と、その後半本体の前端開口を気密に閉鎖する、前端面が半球状に湾曲形成される前半蓋体とに分割形成され、前記後半本体は、前端に外径より縮径されて一段とさがった接続筒が一体に形成され、外径面に防水リングが配備される後半本体外殻を有し、前記前半蓋体は、後端開口の内側に内径面を具える前半蓋体外殻を有し、前記後半本体外殻の接続筒の外径面に前記前半蓋体外殻の後端開口の内径面を圧入嵌合し、防水リングを押圧し、後半本体の接続筒に前端開口を水密に接続し、前記後半本体の接続筒の基端寄り外径面に係合爪を突設し、前記前半蓋体の後端開口の内径面において凹陥導入部と横向き溝部からなる係合嵌入部を前記係合爪と対応して形成し、後半本体外殻の段差端面と前半蓋体外殻の後端開口を突合し、係合爪を凹陥導入部に嵌入した後、前半蓋体外殻を周回りに回動して係合爪を係合横向き係合溝に移動して係合ロックし、前記後半本体外殻は、合成樹脂材を金型に射出して成型され、前記接続筒を一体とする楕円半殻に形成されると共に、後部上半の外面にスイッチ操作用凹陥部とスイッチ配備孔が、後端中心の外面にスクリュウ軸受け孔がそれぞれ形成され、内面側には、モータ収容部、前記スイッチ配備孔を中心に配するスイッチ載せ台と、その左右に一対のスイッチ取付台座と、同じく左右一対の電池ボックス主部取付台座および電池ボックス蓋部取付台が形成され、モータは、前記モータ収容部にセットし、モータ軸をスクリュウ軸受孔より後方へ突出し、その突出端にスクリュウを固着し、前記後半本体外殻に、その後端外面より後方へ左右対称の枠型の水平推進安定翼が突設され、電池ボックスは、合成樹脂材を金型に射出し、電池ボックス主部と、電池ボックス蓋部と、バランサーボックスとに分割成型し、電池ボックス主部は、電池の大部分を収容し、その対面する一方の電極と接触して出力極を構成する電極板を内端面に配備し、電池ボックス蓋部は、電池の反対電極と接触して電極を導通する導通電極板を内端面に具え、バランサーボックスは、前記電池ボックス主部の下面に一体に接着接続し、内部の収容部に金属部材が収容され、スイッチ保持盤の嵌入支持部にスイッチ本体を後方より差込み、電極片を前方に突出させて保持した後、可動操作杆の先端を、中継子を介して被嵌させた後、ゴム製の防水スイッチカバーを再被嵌し、防水スイッチカバーの鍔部をスイッチ載せ台に置き、スイッチ本体を嵌入支持したスイッチ保持盤を前方から可動操作杆を防水スイッチカバー内に差込んで防水スイッチカバーと共にスイッチ配備孔より後方へ突出させ、この状態でスイッチ保持盤における両端の取付孔にネジを挿通し、その先端を後半本体外殻のスイッチ取付台座の取付孔に螺合し、防水スイッチカバーの鍔部を締付けて水密に構成し、かつ、スイッチ保持盤を後半本体外殻に固着し、前記電池ボックス主部は、その中間には、周囲に張り出す取付鍔が設けられ、その取付鍔に開口する取付孔の部分を前記後半本体外殻の電池ボックス取付台座に連接した後、ネジを取付孔に挿通し、そのネジの先端をそれぞれ電池ボックス取付台座に開口する取付孔に螺合し、電池ボックス主部は電池ボックス取付台座に固着され、防水スイッチカバーは、外方からの押圧力を受けると、圧縮されて内部の可動操作杆を押し込みスイッチ本体内の接点をオン、押圧力をなくすと、防水スイッチカバーの復帰力と可動操作杆に連繋する戻しバネの作用で後方に移動して戻り、再び防水スイッチカバーに押圧力を受けると同様に作動してスイッチ本体内の接点をオフに切換える水遊び潜水玩具。
【実施例】
【００２０】
以下、この考案の水遊び潜水玩具を実施例として示す図面により説明すると、図１および図２に示すように、実施例の水遊潜水玩具１は、外形を楕円体に形成し、前端面と後端面とは弧状に湾曲し、内部を気密に構成し、後半本体１ａと前半蓋体１ｂとに分割可能に形成される。前記前半蓋体１ｂの前端面を半球状に湾曲形成してもよいものである。また、後半本体１ａの前端開口１ａ１を前半蓋体１ｂが気密に閉鎖するものである。
【００２１】
図２、図３に示すように、前記後半本体１ａは、前端に外径より縮径されて一段とさがった接続筒２ａが一体に形成され、外径面に防水リング３、４が前後に離隔して配備され、接続筒２ａの前端面を前記前端開口１ａ１に形成される後半本体外殻２を有している。前記前半蓋体１ｂは、後端開口５ａの内側に内径面５ａ１を有する前半蓋体外殻５を有している。そして、前記後半本体外殻２の接続筒２ａの外径面２ａ１に前記前半蓋体外殻５の後端開口５ａの内径面５ａ１を圧入嵌合し、防水リング３、４を押圧し、水密に接続固着している。
【００２２】
図３、図４に示すように、前記後半本体１ａの接続筒２ａの基端寄り外径面２ａ１に係合爪６、６を１８０°齟齬して突設し、前記前半蓋体１ｂの後端開口５ａの内径面５ａ１において凹陥導入部７ａ、７ａと横向き溝部７ｂ、７ｂからなる係合嵌入部７、７を前記係合爪６、６と対応して形成し、後半本体外殻２の段差端面２ａ２と前半蓋体外殻５の後端開口５ａを突合し、係合爪６、６を凹陥導入部７ａ、７ａに嵌入した後、前半蓋体外殻５を周回りに回動して係合爪６、６を横向き溝部７ｂ、７ｂに移動し、後半本体１ａと前半蓋体１ｂを係合ロックしてなるものである。
【００２３】
前記後半本体外殻２の接続筒２ａにおける先端側の外径面２ａ１には、周回りに環状溝８、９を形成し、この環状溝８、９に前記防水リング３、４を収縮嵌入し、一部を周面に突出させている。
【００２４】
同じく、図３に示すように、前記後半本体外殻２は、合成樹脂材を金型に射出して成型され、前記接続筒２ａを一体とする楕円半殻に形成されると共に、後部上半の外面にスイッチ操作用凹陥部１０とスイッチ配備孔１１が、後端中心の外面にスクリュウ軸受け孔１２がそれぞれ形成され、また、内面側には、モータ収容部１３、前記スイッチ配備孔１１を中心に配するスイッチ載せ台１４と、その左右に一対のスイッチ取付台座１５、１５と、同じく左右一対の電池ボックス主部取付台座１６、１６および電池ボックス蓋部取付台１７、１７が形成されている。
【００２５】
図２に示すように、モータ１８は、前記モータ収容部１３にセットし、モータ軸１９をスクリュウ軸受孔１２より後方へ突出し、その突出端にスクリュウ２０を打込んで固着する。スクリュウが合成樹脂製でモータ軸がステンレススチール製なので弾力着できる。モータ１８の軸側端面とモータ軸１９には、防水グリス（図示しない）が封入される。
【００２６】
図１および図２に示すように、前記後半本体外殻２において、その後端外面より後方へ左右対称の枠型の水平推進安定翼２１が突設される。この水平推進安定翼２１は、単体で成型され、後半本体外殻２に成型時に開口した取付孔２２、２２に両先端部２１ａ、２１ａを嵌入した後、取付孔２２、２２を接着剤で封止し、水平推進安定翼２１の固着と取付孔２２、２２の水密を構成する。
【００２７】
図４に示すように、電池ボックス２３は、合成樹脂材を金型に射出し、電池ボックス主部２３ａと、電池ボックス蓋部２３ｂと、バランサーボックス２３ｃとに分割成型し、電池ボックス主部２３ａは、電池２４、２４の大部分を収容し、その対面する一方の電極と接触して出力極を構成する電極板２５ａ、２５ｂを内端面に配備している。電池ボックス蓋部２３ｂは、電池２４、２４の反対電極と接触して電極を導通する導通電極板２６を内端面に具えている。バランサーボックス２３ｃは、前記電池ボックス主部２３ａの下面に一体に接着接続し、内部の収容部２７に金属部材２８が収容される。また、電池ボックス主部２３ａの所定位置に接続するために電池ボックス主部２３ａの下面両側にガイド突条２９ａ、２９ａを形成して、バランサーボックス２３ｃの両側壁部３０、３０の内側に嵌合できるようにしている。
【００２８】
図２、図３、図４および図６に示すように、スイッチ保持盤３１の嵌入支持部３１ａにスイッチ本体３２を後方より差込み、電極片３３ａ、３３ｂを前方に突出させて保持した後、可動操作杆３４の先端に中継子３５を被嵌させた後、ゴム製の防水スイッチカバー３６を再被嵌し、防水スイッチカバー３６の鍔部３６ａをスイッチ載せ台１４に置き、スイッチ本体３２を嵌入支持したスイッチ保持盤３１を前方から先端に中継子３５を被嵌した可動操作杆３４を防水スイッチカバー３６内に差込んで防水スイッチカバー３６と共にスイッチ配備孔１１より後方へ突出させ、この状態でスイッチ保持盤３１における両端の取付孔３７、３７にネジ３８、３８を挿通し、その先端を後半本体外殻２のスイッチ取付台座１５、１５の取付孔１５ａ、１５ａに螺合し、防水スイッチカバー３６の鍔部３６ａを締付けて水密に構成し、かつ、スイッチ保持盤３１を後半本体外殻２に固着している。
【００２９】
図４および図６に示すように、電池ボックス主部２３ａは、その中間には、上半および左右に半月翼状に張り出す取付鍔３９が設けられ、その取付鍔３９に開口する取付孔４０、４０の部分を前記後半本体外殻２の電池ボックス取付台座１６、１６に連接した後、ネジ４１、４１を取付孔４０、４０に挿通し、さらに、ネジ４１、４１の先端をそれぞれ電池ボックス取付台座１６、１６に開口する取付孔１６ａ、１６ａに螺合し、電池ボックス主部２３ａは電池ボックス取付台座１６、１６に固着されるものである。
【００３０】
防水スイッチカバー３６は、外方からの押圧力を受けると、圧縮されて
内部の中継子３５を押し込み、可動操作杆３４を連動してスイッチ本体３２内の接点をオン、押圧力をなくすと、防水スイッチカバー３６の復帰力と可動操作杆３４に連繋する戻しバネの作用で後方に移動して戻り、再び防水スイッチカバー３６に押圧力を受けると同様に作動してスイッチ本体３２内の接点をオフに切換えるものである。
【００３１】
図８に示すように、取付台座４２ａと支え突起４２ｂとからなるスイッチ支え具４２が電池ボックス主部２３ａの取付鍔３９の後面上半に間にナット４３を挟持してネジ４４、４４により固着される。電池ボックス主部２３ａを後半本体外殻２に取付けた時に支え突起４２ｂの先端がスイッチ本体３２と連接し、前記防水スイッチカバー３６からスイッチ本体３２に受けるスイッチ操作力に対する対抗力を補強している。４５、４５は取付孔、４６は嵌入凹陥部で前記ナット４３を配備する。４７、４７は取付孔である。
【００３２】
図７に示すように、電池ボックス蓋部２３ｂの前端内面に具える導通電極板２６は、中間点４８をネジ４９により電池ボックス蓋部２３ｂの取付孔５０に螺合固着している。
電池ボックス蓋部２３ｂの電池ボックス主部２３ａの取付けは、図４および図７に示すように、前後に貫通する取付孔５１、５１に前面からネジ５２、５２を差込み、その一方のネジ５２の先端を前記電池ボックス主部２３ａの取付鍔３９の上半後面に配備される前記ナット４３に螺合し、他方のネジ５２の先端を直接に後半本体外殻２の電池ボックス蓋部取付台１７に開口する取付孔１７ａに螺合し、固着している。そして、電池ボックス蓋部２３ｂの前端外面に連接用突部５３を形成していて、後半本体外殻２に前半蓋体外殻５を嵌係合した状態で、連接用突部５３を前半蓋体外殻５の前端内面に連接し、潜水作動衝突時または落下衝突時における内部機構の不具合防止を図っている。
【００３３】
モータ１８、電池２４、スイッチ本体３２の電気回路は、図１０に示すように接続している。
【００３４】
本考案の水遊び潜水玩具は、前述のように構成されるものであるから、防水スイッチカバー３６を押すと、スイッチ本体３２がオンとなり、電池２４とモータ１８との電気回路を閉路し、モータ１８を作動させるのでスクリュウ２０を回転し、全体を推進させる。再び防水スイッチカバー３６を押すと、スイッチ本体３２がオフとなり、電池２４とモータ１８との電気回路を開路し、モータ１８の作動を停止する。
【００３５】
本考案の水遊び潜水玩具は、水に浮かべた時には、全体の２／３を水中に沈め、スクリュウ２０を水中に没し、前後に水平状態で、かつ、右側を下方に若干傾けた状態を維持するものである。そこで、防水スイッチカバーが押されると前記モータ１８が作動し、スクリュウ２０の推進力と、推進安定翼２１の作用で直前進する。前端を下方に向けて発進させると、斜めに推進沈降する。そして底面に衝突すると、前端が球形面になっているから、スムーズに方向変換がなされる。水面上を推進して浴槽の内壁面に衝突する場合も同様にスムーズに方向変換がなされる。特に、浴槽の内壁面と直角に衝突をしても、反動で戻り、再び衝突するときには、内壁面とに角度ができるので、スムーズな方向変換を図ることができ、そのときの条件で上下左右に方向を変換して推進できるものである。そして、最終的には、浮力で上昇し、水面を前進するものである。
【００３６】
本考案の水遊び潜水玩具は、内部は水密に構成されるから電気回路は維持され、推進抵抗の少ない形状を構成しているので、電池の消耗が少なく長時間に渡って遊ぶことができる。また、電池が消耗したときには、前半蓋体を回して外し、後半本体の電池ボックスの電池ボックス蓋部を外して内部の電池交換もできるものである。
【産業上の利用可能性】
【００３７】
本考案の水遊び潜水玩具は、外形がスマートで推進抵抗が驚異的に少なく電力の消耗がすくないので内蔵電池で幼児が飽きる程遊ぶことができ、省エネ効果がある。
また、リモコン操作を必要としないから、幼児が、家庭の水遊びプールで、浴槽で遊ぶことができる。
特に、作動が推進、浮上の基本性能に限定し、長時間作動、防護・堅牢構成に徹しているので、趣向を工夫により発展し、多様に遊ぶことができ、新しい親子のコミュニケーションを図る玩具として需要が期待できるものである。
よって、本考案の水遊び潜水玩具は、新しい電動玩具の道を業界に開くことができる。
【図面の簡単な説明】
【００３８】
【図１】本考案の水遊び潜水玩具を後方上方から見て、全体外面形状、スクリュウ、推進安定翼および防水スイッチカバーを示す外観斜視図である。
【図２】本考案の水遊び潜水玩具の内部構造を示す縦断面図である。
【図３】本考案の水遊び潜水玩具の外面に現れる外部を構成する後半本体と前半蓋体を示す分解斜視図である。
【図４】本考案の水遊び潜水玩具の内部に収容配備される内部構成部材を示す分解斜視図である。
【図５】外部構成部材を構成する前半蓋体外殻を後端開口面から見た斜視図である。
【図６】外部構成部材を構成する後半本体外殻を前端開口面から見た正面図である。
【図７】外部構成部材を構成する前半蓋体外殻の前端内面に配備される電池電極と接触する導通接触板の分解図である。
【図８】内部構成部材を構成する電池ボックスの後端面、その後端面に取付けるスイッチ支え具およびそのスイッチ支え具の内側に配備して電池ボックス蓋部を取付けるナットを示す説明図である。
【図９】内部構成部材を構成する電池ボックスの下面に接続するバランスボックスの内面図である。
【図１０】モータと電池とスイッチとの電気回路を示す結線図である。
【符号の説明】
【００３９】
１  水遊び潜水玩具
１ａ  後半本体
１ａ１  前端開口
１ｂ  前半蓋体
２  後半本体外殻
２ａ  接続筒
２ａ１  外径面
３  防水リング
４  防水リング
５  前半蓋体外殻
５ａ  後端開口
５ａ１  内径面
６  係合爪
７  係合嵌入部
７ａ  凹陥導入部
７ｂ  横向き溝部
８  環状溝
９  環状溝
１０  スイッチ操作用凹陥部
１１  スイッチ配備孔
１２  スクリュウ軸受け孔
１３  モータ収容部
１４  スイッチ載せ台
１５  スイッチ取付台座
１５ａ  取付孔
１６  電池ボックス主部取付台座
１６ａ  取付孔
１７  電池ボックス蓋部取付台
１７ａ  取付孔
１８  モータ
１９  モータ軸
２０  スクリュウ
２１  平推進安定翼
２２  取付孔
２３  電池ボックス
２３ａ  電池ボックス主部
２３ｂ  電池ボックス蓋部
２３ｃ  バランサーボックス
２４  電池
２５ａ  出力電極板
２５ｂ  出力電極板
２６  導通電極板
２７  収容部
２８  金属部材
２９ａ  ガイド突条
３０  側壁部
３１  スイッチ保持盤
３１ａ  嵌入支持部
３２  スイッチ本体
３３ａ  電極片
３３ｂ  電極片
３４  可動操作杆
３５  中継子
３６  防水スイッチカバー
３６ａ  鍔部
３７  取付孔
３８  ネジ
３９  取付鍔
４０  取付孔
４１  ネジ
４２  スイッチ支え具
４２ａ  取付台座
４２ｂ  支え突起
４３  ナット
４４  ネジ
４５  取付孔
４６  嵌入凹陥部
４７  取付孔
４８  中間点
５０  ネジ
５１  取付孔
５２  ネジ
５３  連接用突部
【図１】
0003115164.tif 000003
【図２】
0003115164.tif 000004
【図３】
0003115164.tif 000005
【図４】
0003115164.tif 000006
【図５】
0003115164.tif 000007
【図６】
0003115164.tif 000008
【図７】
0003115164.tif 000009
【図８】
0003115164.tif 000010
【図９】
0003115164.tif 000011
【図１０】
0003115164.tif 000012